(57)【特許請求の範囲】
【請求項１】
上部に多数の足場が結合されるブラケット（１）に貫通結合され、前記ブラケット（１）を海上に浮遊させるために浮力を提供する多数の浮力パイプ（２）を長手方向に互いに連結するための連結ソケット（３）であって、
前記浮力パイプ（２）の直径と同一の直径を有する中空体の胴体（３１）と、
前記胴体（３１）の内側中心に形成され、複数の浮力空間に区画する水密隔壁（３２）と、を備え、
前記胴体（３１）の外側中心には、前記ブラケット（１）の離脱を防止するための離脱防止段（３１１）が形成されることを特徴とする海上浮遊構造物用浮力パイプの連結ソケット。
【請求項２】
前記水密隔壁（３２）は、前記胴体（３１）と同一の材質で一体に形成されることを特徴とする請求項１に記載の海上浮遊構造物用浮力パイプの連結ソケット。
【請求項３】
前記水密隔壁（３２）の両側には、他の構造物との連結時に突合せ融着を行えるように一定の厚さで突出され、ボルトの締付け強度を補強する補強突出部（３２１）が形成されることを特徴とする請求項１または２に記載の海上浮遊構造物用浮力パイプの連結ソケット。
【発明の詳細な説明】
【技術分野】
【０００１】
本発明は、海上浮遊構造物用浮力パイプの連結ソケットに係り、さらに詳しくは、海上浮遊構造物であるブラケットに結合される多数の浮力パイプを互いに連結して、遮水隔壁の機能を果たし、浮力パイプの損傷により浸水した場合においても、遮水隔壁の機能により一定の浮力を維持できるようにし、沈没または座礁しないようにする海上浮遊構造物用浮力パイプの連結ソケットに関する。
【背景技術】
【０００２】
一般に、浮桟橋、養殖場、海上レジャー施設、海上釣り場、海上作業船、消波提、浮橋（渡橋）等は、別途の浮き具を用いて浮上させているが、これらの浮き具は、別途の固定手段により固定される。この浮き具を固定するための固定手段は、浮き具の特性により多様な構造を有する。
【０００３】
特に、海上の囲い網養殖場は、海の広い空間に網等を用いて生物を閉じ込めて養うものであって、浮力を維持するために、発泡スチロール、浮力パイプ等が用いられているが、発泡スチロールの場合、深刻な海洋汚染を引き起こす主な原因であって、国際環境規約に基づき、韓国においても発泡スチロールを用いた木材の囲い網養殖場の新設が禁止されている。
【０００４】
このような問題点により、近年、耐腐食性と機械的強度及びリサイクル性に極めて優れ、熱融着方式により容易且つ堅固な接着や組立が可能なポリエチレン（ＰＥ）、好ましくは中密度ポリエチレン（ＭＤＰＥ）または高密度ポリエチレン（ＨＤＰＥ）を用いた浮力パイプ及びブラケットで構成された海上浮遊構造物に代替されている。
【０００５】
下記の特許文献１(韓国登録実用新案第２０−０４３８５８２号)に、このような技術の一例が開示されている。
【０００６】
この特許文献１には、浮力パイプを下部の孔から支持し、上面には足場部材が結合されている海上構造物用浮力パイプカップリングであって、互いに結合された隣接したカップリングにより支持される浮力パイプ間において、メンテナンス用として接近可能な空間を確保するために、カップリングには、一つの浮力パイプを支持するための孔が、両側面が傾斜した下部に一つのみ形成され、下端部が孔に向けて傾斜しており、上側の足場部材と浮力パイプとの間の間隔を増加させるように格子構造からなり、一側面に、側方から結合される隣接したカップリングに対して垂直方向の支持力を提供するための突出部が形成されるとともに、他側面には、隣接したカップリングの突出部と結合するための円筒状部が一体に形成される、海上構造物用パイプカップリングについて開示されている。
【０００７】
従って、このように構成された従来の技術は、大型の浮力パイプを一定の間隔で支持するとともに、大型の海上構造物の安定性を向上させ、浮力パイプ間の間隔を最大に確保することにより、浮力パイプとカップリング（ブラケット）の上面に組み立てられる足場部材間の間隔をも増大させ、作業者が、水中において支持される浮力パイプに対するメンテナンス作業を容易に行うことができるという利点を有する。
【０００８】
しかしながら、上述した従来技術は、多数の浮力パイプを円筒状の連結ユニットを用いて連続して一体に組み立てることから、波等による連結ユニットの損傷が発生すると、これに起因して浮力パイプの浮力空間が浸水し、浮力維持機能を失ってしまうという問題点があった。
【０００９】
また、海上浮遊構造物用パイプカップリング（ブラケット）において、浮遊体の動き、浮力材の延性値及び横揺れ(ローリング;Ｒｏｌｌｉｎｇ）に起因して、固定された構造のブラケットが、位置を離脱してしまうという問題点があった。
【発明の概要】
【発明が解決しようとする課題】
【００１０】
本発明は、上記問題点に鑑みなされたものであり、多数の浮力パイプを連結する連結ソケットの内部に水密隔壁を形成することにより、浮力パイプの破損により浮力空間が浸水した場合においても、残余の浮力空間が水密に保持され、浮力パイプの浮力維持機能を維持し続けることができる海上浮遊構造物用浮力パイプの連結ソケットを提供することを目的とする。
【００１１】
また、海上浮遊構造物の基本構造骨格である浮力パイプとカップリング（ブラケット）の組立後の離脱、移動を遮断することができる海上浮遊構造物用浮力パイプの連結ソケットを提供することを目的とする。
【課題を解決するための手段】
【００１２】
上記目的を達成するため、本発明に係る海上浮遊構造物用浮力パイプの連結ソケットは、上部に多数の足場が結合されるブラケットに貫通結合され、前記ブラケットを海上に浮遊させるために浮力を提供する多数の浮力パイプを長手方向に互いに連結するための連結ソケットであって、前記浮力パイプの直径と同一の直径を有する中空体の胴体と、前記胴体の内側中心に形成され、複数の浮力空間に区画する水密隔壁と、を備えることを特徴とする。
【発明の効果】
【００１３】
上述したように、本発明に係る海上浮遊構造物用浮力パイプの連結ソケットは、内側に水密隔壁を一体化した連結ソケットで浮力パイプを連結することにより、浮力パイプの破損により浮力空間が浸水した場合においても、残余の浮力空間が水密に保持され、浮力を維持して沈没を防止するとともに、浮力パイプの端部に連結され、仕上げキャップとしての機能を行うことができるという効果が得られる。
【００１４】
また、浮力材及び海上浮遊構造物をなしている構造物であるカップリング（ブラケット）の横揺れ(ローリング)による離脱を防止し、連結資材の連結装置の機能を有することができるという効果が得られる。
【図面の簡単な説明】
【００１５】
【図１】一般の海上浮遊構造物を示す図である。
【図２】本発明に係る海上浮遊構造物用浮力パイプの連結ソケットを示す斜視図である。
【図３】本発明に係る海上浮遊構造物用浮力パイプの連結ソケットを示す断面図である。
【図４】本発明に係る海上浮遊構造物用浮力パイプの連結ソケットの構成要素である水密隔壁の一例を示す断面図である。
【図５】本発明に係る海上浮遊構造物用浮力パイプの連結ソケットの連結状態を示す斜視図である。
【図６】本発明に係る海上浮遊構造物用浮力パイプの連結ソケットの設置状態を示す平面図である。
【発明を実施するための形態】
【００１６】
本発明に係る海上浮遊構造物用浮力パイプの連結ソケットは、上部に多数の足場が結合されるブラケットに貫通結合され、前記ブラケットを海上に浮遊させるために浮力を提供する多数の浮力パイプを長手方向に互いに連結するための連結ソケットであって、前記浮力パイプの直径と同一の直径を有する中空体の胴体と、前記胴体の内側中心に形成され、複数の浮力空間に区画する水密隔壁と、を備えることを特徴とする。
【００１７】
また、前記胴体の外側中心には、前記ブラケットの離脱を防止するための離脱防止段が形成されることを特徴とする。
【００１８】
また、前記水密隔壁は、前記胴体と同一の材質で一体に形成されることを特徴とする。
【００１９】
また、前記水密隔壁の両側には、他の構造物との連結時に突合せ融着を行えるように一定の厚さで突出され、ボルトの締付け強度を補強する補強突出部が形成されることを特徴とする。
【００２０】
以下、本発明の好適な実施例について、添付図面を参照しながら説明する。
【００２１】
図１は、一般の海上浮遊構造物を示す図であり、図２は、本発明に係る海上浮遊構造物用浮力パイプの連結ソケットを示す斜視図であり、図３は、本発明に係る海上浮遊構造物用浮力パイプの連結ソケットを示す断面図であり、図４は、本発明に係る海上浮遊構造物用浮力パイプの連結ソケットの構成要素である水密隔壁の一例を示す断面図であり、図５は、本発明に係る海上浮遊構造物用浮力パイプの連結ソケットの連結状態を示す斜視図であり、図６は、本発明に係る海上浮遊構造物用浮力パイプの連結ソケットの設置状態を示す平面図である。
【００２２】
図１に示すように、通常の海上浮遊構造物は、重量を軽くするために、ポリエチレン材質からなるブラケット１と、前記ブラケット１に貫通結合される浮力パイプ２とからなる。
【００２３】
前記ブラケット１は、下部に一つの浮力パイプ２が貫通結合される貫通孔が形成され、下側に傾斜した逆三角形状に形成されていて、海上において容易に浮遊しつつ、常に中心を維持できるようにする。
【００２４】
前記ブラケット１は、複数の浮力パイプ２を支持するために、側方向に互いに結合して構造物を形成することができるので、構造物の多様な大きさに応じて、同一のブラケット１を側方向に結合して簡便かつ迅速に組み立てることができる。
【００２５】
前記浮力パイプ２は、内部が中空体のものであり、素材としてはポリエチレンなどの合成樹脂を用いることが好ましい。
【００２６】
前記ブラケット１及び浮力パイプ２は、通常広く用いられている海上浮遊構造物であるので、これについての具体的な説明を省略する。
【００２７】
図２及び図３に示すように、本発明に係る海上浮遊構造物用浮力パイプの連結ソケット３は、上部に多数の足場が結合されるブラケット１に貫通結合され、前記ブラケット１を海上に浮遊させるために、浮力を提供する多数の浮力パイプ２を長手方向に互いに連結するためのものであり、胴体３１と水密隔壁３２とを有する。
【００２８】
前記胴体３１は、ポリエチレンなどの合成樹脂材からなる中空体であるとともに、前記浮力パイプ２の直径と同一の直径を有する。
【００２９】
前記胴体３１は、前記浮力パイプ２の規格に応じて、同様に多様な規格で作製されることが好ましい。
【００３０】
一方、前記胴体３１の外側中心には、前記ブラケット１の離脱を防止するための離脱防止段３１１が形成される。前記離脱防止段３１１は、前記胴体３１の外周面の円周方向に沿って一定の間隔で形成され、その結果、前記ブラケット１に浮力パイプ２が結合されている状態において、台風や激しい波等による影響でブラケット１が既存の結合位置から離脱することを防止するために位置を固定する役割を果たす。
【００３１】
前記水密隔壁３２は、前記胴体３１の内側中心に形成され、複数の浮力空間に区画し、一つまたは一つ以上で形成されてもよい。
【００３２】
前記水密隔壁３２は、前記胴体３１と同一の材質で一体に形成されることが好ましい。これは、前記胴体３１と同一の材質であるポリエチレンの特性上、条件及び環境が同一であれば、融着成功率が高くなり、隔壁設置が容易であり、融着が完璧に行われるからである。
【００３３】
さらに具体的に、前記水密隔壁３２は、高延性値を有するポリエチレンと同一の材質及び条件でのみ融着しなければならないという特徴を持つことから、浮力パイプ２の破損により浮力空間が浸水した場合においても、残余の浮力空間が水密に保持され、浮力を維持して沈没を防止することができる。一方、一体型ではない別途の隔板を準備し、胴体の内部に接着により貼り付ける方式を採用すると、波による衝撃で隔板が簡単に分離して離脱してしまうので、水密隔壁としての機能を行うことができなくなる。
【００３４】
図４に示すように、前記水密隔壁３２の両側には、他の構造物との連結時に突合せ融着を行えるように一定の厚さで突出され、ボルトの締付け強度を補強する補強突出部３２１が形成されてもよい。
【００３５】
前記補強突出部３２１の一側には、海上浮遊構造物の引揚げを容易にするための半円弧状の引揚げ用リング４が結合される。
【００３６】
前記補強突出部３２１の他側には、ナットが挿入されてボルトに締め付けられるように、複数のナット挿入溝３２１ａが形成され、前記ナット挿入溝３２１ａには、ナットが締め付けられた状態で、溶かした合成樹脂を充填することが好ましい。
【００３７】
前記引揚げ用リング４は、前記補強突出部３２１の一側面に、ボルト締付けにより固定される固定板４１と一体に連結して設けられる。このとき、前記ボルトの頭部は前記固定板４１に挿着され、ねじ部は補強突出部３２１及び水密隔壁３２を貫通してナットによって締め付けられることにより、補強突出部３２１に引揚げ用リング４が固定される。
【００３８】
このように前記水密隔壁３２の厚さよりも厚い補強突出部３２１を形成することにより、引揚げ用リング４の結合に際して、締付け部材であるボルト及びナットの締付け強度を補強することができる。
【００３９】
図５に示すように、本発明に係る海上浮遊構造物用浮力パイプの連結ソケット３は、浮桟橋、養殖場、海上レジャー施設、海上釣り場、海上作業船、消波提、浮橋（渡橋）等の施工適用対象に応じて、前記ブラケット１と浮力パイプ２の設置個数が増減するので、規格の変化に迅速かつ便利に対応することができる。
【００４０】
すなわち、複数の浮力パイプ２を連結して使用しなければならない場合は、前記連結ソケット３の両側に、それぞれの浮力パイプ２を融着して連結することにより、たとえ、多数の浮力パイプ２のうちいずれか一つの浮力パイプが破損し、浮力パイプ２の浮力空間が浸水した場合においても、連結ソケット３の水密隔壁３２により残余の浮力空間が水密に保持されることができて、これにより浮力を維持して沈没を防止することができる。
【００４１】
図６に示すように、前記浮力パイプ２のうち最外側に位置している浮力パイプの端部に連結される連結ソケット３は、仕上げキャップとしての機能を行い、水密を維持させる。
【００４２】
また、前記ブラケット１に近接して連結されている連結ソケットは、ブラケット１の離脱防止及び隔壁の機能を行い、中間に配置されている連結ソケットは、水密隔壁の機能を行う。
【００４３】
本発明は、添付した図面を参照して好適な実施例を中心として記述されているが、当業者であれば、このような記載に基づき、本発明の範疇を逸脱しない範囲内で、多くの多様かつ自明な変形が可能であることは明らかである。したがって、本発明の範疇は、これらの多くの変形例を含めて記述された請求の範囲により解釈されなければならない。
【産業上の利用可能性】
【００４４】
本発明に係る海上浮遊構造物用浮力パイプの連結ソケットは、内側に水密隔壁を一体化した連結ソケットで浮力パイプを連結することにより、浮力パイプの破損により浮力空間が浸水した場合においても、残余の浮力空間が水密に保持されることができて、浮力を維持して沈没を防止するとともに、浮力パイプの端部に連結されて仕上げキャップとしての機能を行うという効果が得られる。
【００４５】
また、浮力材及び海上浮遊構造物をなしている構造物であるカップリング（ブラケット）の横揺れによる離脱を防止し、連結資材の連結装置の機能を有するという効果が得られる。
【図１】
0006279147.tif 000002
【図２】
0006279147.tif 000003
【図３】
0006279147.tif 000004
【図４】
0006279147.tif 000005
【図５】
0006279147.tif 000006
【図６】
0006279147.tif 000007